(57)【要約】【課題】小型あるいは簡易な農業用ビニールハウスに好適で、アーチ状のフレームにトンネル状に被せられたビニールシートの上からビニールシートに沿って紐を容易に張設することができ、ビニールシートの天面から地面付近に至る範囲を押さえて固定することのできる簡易な紐固定具を提供する。【解決手段】農業用ビニールハウス１の、アーチ状のフレーム２にトンネル状に被せられたビニールシート３の上からビニールシート３に沿って紐４を張設して、ビニールシート３を天面から地面付近に至る範囲を押さえて固定するのに用いる紐固定具１０であって、板状の本体部１１の先端１１ａを尖らせて先端先細り形状とし、同本体部１１の後端部１１ｂには前後２箇所に前記紐４の一端をＵ字状に通す紐通し孔１３，１３を穿設して、紐４を留める紐留め部１４を設ける。【選択図】図１
0003138818.tif 000002
【実用新案登録請求の範囲】
【請求項１】
農業用ビニールハウスの、アーチ状のフレームにトンネル状に被せられたビニールシートの上からビニールシートに沿って紐を張設して、ビニールシートを天面から地面付近に至る範囲を押さえて固定するのに用いる紐固定具であって、
板状の本体部の先端を尖らせて先端先細り形状とし、同本体部の後端部には前後２箇所に前記紐の一端をＵ字状に通す紐通し孔を穿設して、紐を留める紐留め部を設けたことを特徴とする、農業用ビニールハウスの紐固定具。
【請求項２】
前記紐通し孔の孔形状が円形または扁平形状であることを特徴とする、請求項１記載の農業用ビニールハウスの紐固定具。
【考案の詳細な説明】
【技術分野】
【０００１】
本考案は、農業用ビニールハウスの、アーチ状のフレームにトンネル状に被せられたビニールシートの上からビニールシートに沿って紐を張設して、ビニールシートを押さえて固定するのに用いる紐固定具に関する。
【背景技術】
【０００２】
従来一般の小型の農業用ビニールハウス１は、図６に示すように、トマト、キュウリ、ナス等の苗木Ａ（図７参照）に沿って、畝に一定間隔でアーチ状のフレーム２またはポールを数十ｍ乃至数百ｍに亘って立設し、そのアーチ状のフレーム２またはポールの上にビニールシート３をトンネル状に被せ、被せたビニールシート３が風で飛んだりめくれたりしないように、前記アーチ状のフレーム２またはポールの間に紐４を短手方向にわたしてビニールシート３を紐４で上から押さえて、紐４の先端を杭５に取付けて地面Ｇに固定するようにしている。
【０００３】
比較的大型のビニールハウスの場合は、箱型のハウスフレームの基底フレームの一部に前記の紐の先端を縛ればよいが、上記のような小型で簡易な構造のビニールハウスの場合は、基底フレームがないものが多く、前記の紐４は所定の長さに調節して杭５の後端に先端を縛り、その杭５を地面Ｇに打ち込んで紐４を張設する例が多い。
【０００４】
図６は、そのような紐４の張設例を示しているが、図７の正断面図に示すように、紐４を後端に縛った従来一般の杭５では、紐４の長さを事後的に調節するのが容易ではなく、紐４がビニールシート３の天面だけを押さえて側面を十分に押さえ切れず、その結果として雨風でビニールシートがばたつき、外れてしまう問題があった。また、杭５が畝６の両側に大きくはみ出すことから隣り合う畝６間を歩いて作業する際に足元で杭５が邪魔になるという問題もあった。
【０００５】
紐の長さを調節するものとして、例えば実登３０７２０２０号（特許文献１）に示す紐固定具の提案があるが、この紐固定具は、紐をビニールハウスの骨組みである横架材に掛けてから固定するもので、ビニールハウスの構造が比較的大型あるいは複雑になってしまう。
【０００６】
【特許文献１】実登３０７２０２０号公報
【考案の開示】
【考案が解決しようとする課題】
【０００７】
本考案は上記問題点に鑑みてなされたもので、小型あるいは簡易な農業用ビニールハウスに好適で、アーチ状のフレームにトンネル状に被せられたビニールシートの上からビニールシートに沿って紐を容易に張設することができ、ビニールシートの天面から地面付近に至る範囲を押さえて固定することのできる簡易な紐固定具を提供することを目的とする。
【０００８】
また、ビニールハウスのビニールシートに紐を張設した状態で畝間の通行や作業の邪魔にならない紐固定具を提供することを目的とする。
【課題を解決するための手段】
【０００９】
前記課題を達成するために、本考案に係る請求項１の紐固定具は、農業用ビニールハウスの、アーチ状のフレームにトンネル状に被せられたビニールシートの上からビニールシートに沿って紐を張設して、ビニールシートを天面から地面付近に至る範囲を押さえて固定するのに用いる紐固定具であって、
板状の本体部の先端を尖らせて先端先細り形状とし、同本体部の後端部には前後２箇所に前記紐の一端をＵ字状に通す紐通し孔を穿設して、紐を留める紐留め部を設けたことを特徴とする。
【００１０】
請求項１記載の農業用ビニールハウスの紐固定具によると、アーチ状のフレームにトンネル状に被せられたビニールシートの上にビニールシートに沿ってその天面から地面に至る範囲に左右に紐を張設し、当該左右に張設した紐の両端を紐固定具によって地面に固定する。紐固定具はビニールシートの接地面付近から地中に打ち込まれる。
【００１１】
紐の両端は予め紐固定具の本体部の後端部にある前後２箇所の紐通し孔にＵ字状に通して各紐固定具の後端部に留めることができ、各紐固定具を地中に打ち込む前に、紐通し孔に通す長さを調節することによって紐の長さ、すなわち、紐の張設量を容易に調節することができる。各紐固定具を一部あるいは半分以上地中に打ち込んだ段階で、紐通し孔に通す長さを再調節することもできる。
【００１２】
ビニールシート上の紐の張設線にあわせて、ビニールシートの接地面付近からその直下の地中に紐固定具を打ち込むことで、ビニールシートの上からビニールシートに沿って張設した紐でもって、トンネル状のビニールシートを天面から地面に至る範囲を、押さえて固定することができる。トンネル状のビニールシートが天面から地面に至る範囲が紐で押さえられて固定されるので、雨風でビニールシートがばたついたり、外れる心配がなくなる。
【００１３】
ビニールシート上の紐の張設線にあわせて、ビニールシートの接地面付近からその直下の地中に紐固定具を没するまで打ち込むことで、紐固定具が畝間の通行や作業の邪魔にならず、畝間の通行や畝間での作業を円滑にする。
【００１４】
請求項２の農業用ビニールハウスの紐固定具は、前記紐通し孔の孔形状を円形または扁平形状としたことを特徴とする。
【００１５】
請求項２記載の農業用ビニールハウスの紐固定具によれば、前記紐通し孔の孔形状を円形または扁平形状とすることによって、紐通し孔が円形の紐固定具には断面円形の紐を用い、あるいは紐通し孔が扁平形状の紐固定具には断面扁平形状の紐をそれぞれ好適に用いることができる。
【考案の効果】
【００１６】
以上説明したように、本考案の農業用ビニールハウスの紐固定具によれば、アーチ状のフレームにトンネル状に被せたビニールシートを、ビニールシートの上にトンネル状のビニールシートに沿って張設した紐によって、天面から地面に至る範囲で簡易に押さえて固定することができる。これにより、雨風でビニールシートがばたついたり外れるのを防ぐことができる。
【００１７】
また、紐の両端を予め、紐固定具の本体部の後端部にある前後２箇所の紐通し孔にＵ字状に通して留めることができ、各紐固定具を地中に打ち込む前に、紐通し孔に通す長さを調節することによって紐の張設量を容易に調節することができ、また、各紐固定具を一部または半分以上地中に打ち込んでから、紐の張設量を再調節することも容易にできる。
【００１８】
さらには、紐固定具をビニールシートの接地面付近からその直下の地中に紐固定具が没するまで容易に打ち込むことができ、これにより畝間の通行や作業の邪魔にならず、畝間の通行や畝間での作業を円滑にすることができる。
【考案を実施するための最良の形態】
【００１９】
以下、図面を参照して、本考案の実施形態を説明する。図１ないし図４は本考案に係る農業用ビニールハウスの紐固定具の一実施形態を示すもので、図１において符号１は農業用ビニールハウス、符号１０は農業用ビニールハウスの紐固定具を示している。
【００２０】
図１に示すように、本実施形態の農業用ビニールハウス１は、畑の畝６（図２参照）を跨る形で畝６の長手方向に沿って等間隔に立設されたアーチ状のフレーム２，２・・・の上にマルチシート等のビニールシート３がトンネル状に長手方向に被せられ、隣接するフレーム２，２間にビニールシート３を上から押さえて固定する紐４が張設された小型で簡易な構造となっている。
【００２１】
本実施形態の農業用ビニールハウス１は、その長さが数十ｍ乃至数百ｍに達し、アーチ状のフレーム２は通常５０ｃｍ〜２ｍの間隔で立設され、また、紐４は通常５０ｃｍ〜２ｍの間隔で張設されている。
【００２２】
紐４の両端を地面Ｇに固定する紐固定具１０は、図３に示すように、板状の本体部１１の先端部１１ａにテーパー部１２を設けて尖らせ先端先細り形状とし、同本体部１１の後端部１１ｂには前後２箇所に紐４の一端をＵ字状に通す紐通し孔１３，１３を穿設して、紐４を留める紐留め部１４を設けた構造とされている。図３の紐固定具１０は、断面丸形状の紐を通すために紐通し孔１３が断面丸形状をしている。紐通し孔１３は本実施形態では２箇所穿設されているが、３箇所以上穿設してもよい。
【００２３】
本体部１１は、材質が木、竹、プラスチック、ステンレス等の素材からなり、長さが１５ｃｍ〜３５ｃｍ程度、好ましくは２０ｃｍ〜３０ｃｍ、幅が１ｃｍ〜５ｃｍ程度、好ましくは２ｃｍ〜３．５ｃｍ、厚みが０．５ｃｍ〜２ｃｍ程度、好ましくは０．７５ｃｍ〜１．５ｃｍとされ、形状が地中に打ち込みやすい形状とされている。紐通し孔１３，１３の位置は、例えば本体部１１の後端から４ｃｍ、２ｃｍの位置とされ、紐通し孔１３，１３の内径は紐４のサイズに合わせ、例えば０．７５ｃｍ〜０．８ｃｍとされている。
【００２４】
次に、上記のように構成された農業用ビニールハウスの紐固定具１０を用いて、アーチ状のフレーム２の上にトンネル状に被せたビニールシート３の上に紐４を張設し、ビニールシート３を押さえて固定する手順について説明する。
【００２５】
まず、紐４の両端のそれぞれを図３に示すように紐固定具１０の紐留め部１４に仮留めし、紐４の長さを調節する。紐４の両端４ａのそれぞれを前側の紐通し孔１３から後ろ側の紐通し孔１３にＵ字状に通しておくと、後から紐４の長さの再調節がしやすい。
【００２６】
次に、紐４を、図１に示すようにアーチ状の隣接するフレーム２，２の間であってビニールシート３の上に掛け渡し、紐４の張設線にあわせて、ビニールシート３の両脇から、図２（Ａ）および図４に示すように、その接地位置下の地中に先端先細りで板状の紐固定具１０，１０をそれぞれ斜め内側に打ち込む。各紐固定具１０を地中に打ち込む途中で、必要に応じて、紐固定具１０の紐通し孔１３，１３にＵ字状に通した紐４の両端４ａの位置をずらし、紐４の長さ、すなわち紐４の張設量を調節する。
【００２７】
図２（Ａ）は、両方の紐固定具１０，１０を地中内に打ち込み、地面Ｇから紐固定具１０，１０の各後端部が没した状態を示している。かかる状態では、図２（Ｂ）に示すように、アーチ状のフレーム２にトンネル状に被せられたビニールシート３が、図２（Ａ）に示すように、その天面から地面付近まで紐４によって完全に押さえられ固定されていることが分かる。このように、紐固定具１０を用いて紐４をトンネル状のビニールシート３に沿ってその天面から地面まで張設し、ビニールシート３を強固に押さえて固定することができる。
【００２８】
上述のようにして、紐固定具１０を用いて、数十ｍ乃至数百ｍにわたり、アーチ状の隣接するフレーム２，２間に紐４を次々と張設していく。例えば、長さ１００ｍの農業用ビニールハウスの場合、紐４を張設する間隔を２ｍとすると、約５０箇所にわたり紐４を張設しなければならず、その張設作業は大変なものである。本実施形態の紐固定具１０を用いると、紐４の張設量を簡易に調節することができ、張設作業の負担を軽減することができる。
【００２９】
図２（Ａ）のように、紐固定具１０を完全に地中に打ち込んだ状態では、紐固定具１０や紐４が畝６の間の通路にはみ出すことがなく、図７の従来例に比べると、畝６の間の通路を作業者が円滑に通行したり作業できることが容易に理解できる。また、紐固定具１０の本体部１１の長さを従来対比で短くすることも可能である。
【００３０】
紐固定具１０は、板状の本体部１１の先端部１１ａを斜めに削るとともに、後端部１１ｂに２箇所の紐通し孔１３，１３を穿設するだけの簡単な構造であり、製作費用が安くすむ。本実施形態の場合、百本単位の紐固定具１０を使用するので、農業用ビニールハウスの設置費用を安く抑えることができる。
【００３１】
図４は、本考案の他の実施形態を示すもので、同図に示す紐固定具１０’は、断面扁平形状をなす紐４’に合わせて、紐通し孔１３’が断面扁平形状をしている。
【００３２】
かくして、本考案の農業用ビニールハウスの紐固定具によれば、紐固定具１０，１０’を用いて、トンネル状のビニールシート３の天面から地面付近まで紐４を確実に張設することができ、また、紐４の張設量の調節も容易であり、雨風によってビニールシート３がばたついたり外れたりすることがなく、簡易な構造でもって、ビニールシート３を安定的に押さえて固定することができる。
【００３３】
また、その結果、ビニールシート３が雨風で外れてその補修をしたり、雨風によって中の作物が被害を受けたりすることを防ぐことができる。
【産業上の利用可能性】
【００３４】
本考案に係る農業用ビニールハウスの紐固定具は、アーチ状のフレームの上にトンネル状に被せたビニールシートを押さえて固定するための紐を地面に固定する紐固定具として、利用可能である。
【図面の簡単な説明】
【００３５】
【図１】本考案の一実施形態を示す農業用ビニールハウスの全体斜視図である。
【図２】（Ａ）は図１に示す農業用ビニールハウスにおいて、トンネル状のビニールシートに対する紐の張設状態を示す正断面図、（Ｂ）は同農業用ビニールハウスにおいて、アーチ状のフレームに対しビニールシートをトンネル状に被せた状態を示す正断面図である。
【図３】紐固定具を示す斜視図である。
【図４】図２（Ａ）における要部拡大図である。
【図５】本考案の他の実施形態を示す紐固定具の斜視図である。
【図６】従来一般の農業用ビニールハウスの例を示す全体斜視図である。
【図７】図６の農業用ビニールハウスの正断面図である。
【符号の説明】
【００３６】
１  農業用ビニールハウス
２  アーチ状のフレーム
３  ビニールシート
４，４’  紐
４ａ  紐の両端
５  杭
６  畝
１０  紐固定具
１１  本体部
１１ａ  先端部
１１ｂ  後端部
１２  テーパー部
１３，１３’  紐通し孔
１４  紐留め部
Ｇ  地面
Ａ  苗木  
【図１】
0003138818.tif 000003
【図２】
0003138818.tif 000004
【図３】
0003138818.tif 000005
【図４】
0003138818.tif 000006
【図５】
0003138818.tif 000007
【図６】
0003138818.tif 000008
【図７】
0003138818.tif 000009